(57)【要約】【課題】紫外線殺菌手段を設けたベル型トラップを提供する。【解決手段】トラップ部４は、汚水枡（ピット）５と、該汚水枡５の底面から上方に立設された排水筒６と、該排水筒６に被冠する椀体１０とを有する。椀体１０の蓋部１１の下面のうち環体部１２の内側領域に、紫外線ＬＥＤ１６を搭載したベース１５が固着されている。一部のＬＥＤ１６に光ファイバ１７の一端が接続されている。この光ファイバ１７は排水口７付近にまで差し込まれている。１次コイル２１に交流電流を通電すると、２次コイル２２に誘導電流が流れ、ＬＥＤ１６が点灯し、紫外線が照射される。【選択図】図１
2006274572.tif 000002
【特許請求の範囲】
【請求項１】
汚水枡と、
該汚水枡の底部から立設された排水筒と、
該排水筒に対し上方から着脱可能に被冠した椀体とを備え、
該排水筒の外周面と椀体内周面との間に下方から水が流入するベル型トラップにおいて、
該椀体の内面に紫外線発光体を設けたことを特徴とするベル型トラップ。
【請求項２】
請求項１において、前記紫外線発光体は、前記椀体の頂部の下面に設けられていることを特徴とするベル型トラップ。
【請求項３】
請求項１又は２において、前記紫外線発光体からの紫外線を前記排水筒又はそれよりも下流側の排水流路内に導く導光体を設けたことを特徴とするベル型トラップ。
【請求項４】
請求項１において、前記汚水枡と椀体との対峙部分にそれぞれ誘導コイルが設けられ、該誘導コイルを介して前記紫外線発光体に給電されるよう構成したことを特徴とするベル型トラップ。
【請求項５】
請求項１ないし４のいずれか１項において、前記汚水枡、椀体及び排水筒の少なくとも一部の表面に光触媒が保持されていることを特徴とするベル型トラップ。
【発明の詳細な説明】
【技術分野】
【０００１】
本発明は、小便器のトラップ部や浴室の排水トラップなどを構成するベル型トラップに係り、特に紫外線殺菌を行うようにしたベル型トラップに関する。
【背景技術】
【０００２】
洋風便器のトラップ部の紫外線殺菌のために該トラップ部に紫外線ＬＥＤを設けることが特開２００１−６５０３５号に記載されている。
【０００３】
排水管の内部に光ファイバを配設し、該光ファイバの一端から紫外線光源の発する紫外線を入射し、光触媒の途中部分及び末端部分から紫外線を出射させて排水管内面の広い範囲に紫外線を照射して殺菌することが特開平８−２３８４７６号に記載されている。
【０００４】
特開２００１−２４６２６５号の請求項５６には、排水目皿、排水ピットに光触媒層を設けることが記載されている。
【特許文献１】特開２００１−６５０３５号
【特許文献２】特開平８−２３８４７６号
【特許文献３】特開２００１−２４６２６５号
【発明の開示】
【発明が解決しようとする課題】
【０００５】
小便器のトラップ部や浴室排水トラップを構成するベル型トラップに紫外線殺菌手段を設けることは従来提案されていない。
【０００６】
本発明は、紫外線殺菌手段を設けたベル型トラップを提供することを目的とする。
【課題を解決するための手段】
【０００７】
請求項１のベル型トラップは、汚水枡と、該汚水枡の底部から立設された排水筒と、該排水筒に対し上方から着脱可能に被冠した椀体とを備え、該排水筒の外周面と椀体内周面との間に下方から水が流入するベル型トラップにおいて、該椀体の内面に紫外線発光体を設けたことを特徴とするものである。
【０００８】
請求項２のベル型トラップは、請求項１において、前記紫外線発光体は、前記椀体の頂部の下面に設けられていることを特徴とするものである。
【０００９】
請求項３のベル型トラップは、請求項１又は２において、前記紫外線発光体からの紫外線を前記排水筒又はそれよりも下流側の排水流路内に導く導光体を設けたことを特徴とするものである。
【００１０】
請求項４のベル型トラップは、請求項１において、前記汚水枡と椀体との対峙部分にそれぞれ誘導コイルが設けられ、該誘導コイルを介して前記紫外線発光体に給電されるよう構成したことを特徴とするものである。
【００１１】
請求項５のベル型トラップは、請求項１ないし４のいずれか１項において、前記汚水枡、椀体及び排水筒の少なくとも一部の表面に光触媒が保持されていることを特徴とするものである。
【発明の効果】
【００１２】
請求項１のベル型トラップによると、椀体内面の紫外線発光体からの紫外線が当たる部分が殺菌され、ヌメリなどの汚れ付着が防止される。この椀体は、排水筒や汚水枡と別体であり、紫外線発光体を設けた該椀体を容易に製造することができる。また、椀体をベル型トラップから取り外して紫外線発光体を容易にメンテナンスすることもできる。
【００１３】
請求項２のベル型トラップによると、排水筒の内部の汚れ付着が防止される。排水筒の奥や排水筒に連なる排水管等の排水流路にまで紫外線が達する場合には、かかる部分の汚れ付着も防止される。
【００１４】
請求項３のベル型トラップによると、この排水流路内面の汚れ付着が防止される。
【００１５】
請求項４のベル型トラップによると、椀体と汚水枡との間に電線を配線することなく紫外線発光体に給電することができる。
【００１６】
請求項５のベル型トラップによると、光触媒作用により汚れ付着防止効果が一段と向上する。
【発明を実施するための最良の形態】
【００１７】
以下、図面を参照して実施の形態について説明する。図１は実施の形態に係るベル型トラップを備えた小便器の下部の縦断面図である。
【００１８】
この小便器１の尿受け面２と垂れ受け部３とで囲まれる鉢体の底部にトラップ部４が設けられている。このトラップ部４は、汚水枡（ピット）５と、該汚水枡５の底面から上方に立設された排水筒６と、該排水筒６に被冠する椀体１０とを有する。
【００１９】
排水筒６内は小便器１の後面下部の排水口７に連通している。この排水口７に排水管８が接続される。
【００２０】
椀体１０は、頂面部分の蓋部１１と、該蓋部１１の下面から下方に垂設された環体部１２とを有する。この環体部１２は排水筒６を取り巻くように配置され、環体部１２の内周面と排水筒６の外周面との間には所定の間隔があいている。また、環体部１２の外周面と前記汚水枡５の内周面との間にも所定の間隔があいている。
【００２１】
環体部１２の下端には切欠状部１３が設けられている。トラップ水は、該環体部１２の内外両側において、排水筒６の上端と同レベルとなるように貯留される。
【００２２】
蓋部１１の外周部分は、環体部１２よりも側方に張り出している。この蓋部１１の外周縁と汚水枡５の上縁との間には若干の隙間があいている。尿や便器洗浄水は、この隙間を通って環体部１２の外周面と汚水枡５の内周面との間に流入し、前記切欠状部１３を通って環体部１２と排水筒６との間に流入し、次いで、排水筒６の上端を乗り越えて排水筒６内に流入し、排水口７から排水管８へ流出する。
【００２３】
この実施の形態では、椀体１０の蓋部１１の下面のうち環体部１２の内側領域に、紫外線ＬＥＤ１６を搭載したベース１５が固着されている。
【００２４】
汚水枡５の上縁のうち尿受け面２の裏側部分に１次コイル２１が設けられ、これに対峙して蓋部１１の外周縁に２次コイル２２が設けられている。この２次コイル２２は図示しないリード線を介してＬＥＤ１６に接続されている。ＬＥＤ１６は、この実施の形態では複数個設けられており、環体部１２の内周面、排水筒６の外周面、内周面及び上端面にそれぞれ紫外線が照射可能とされている。
【００２５】
一部のＬＥＤ１６に光ファイバ１７の一端が接続されている。この光ファイバ１７は排水口７近傍の排水管８の入口付近にまで差し込まれている。ただし、光ファイバ１７はこれよりも奥深くまで延設されてもよい。光ファイバ１７の外周面には、部分的に光の出射部が設けられている。
【００２６】
この実施の形態では、環体部１２の内周面、排水筒６の外周面、上端面及び内周面、該排水筒６から排水口７にかけての流路内面に酸化チタンなどの光触媒層が設けられている。
【００２７】
このように構成されたトラップ部４にあっては、１次コイル２１に交流電流を通電すると、２次コイル２２に誘導電流が流れ、ＬＥＤ１６が点灯し、紫外線が照射される。これにより、環体部１２の内周面、排水筒６の外周面、上端面及び内周面、排水筒６から排水口７にかけての排水路内面さらには排水管８の排水口７近傍部分に紫外線が照射されて殺菌され、これらの部分にヌメリなどの汚れが付着することが防止される。特に、この実施の形態では、これらの部分に光触媒層が設けられており、紫外線照射に伴って活性酸素が発生し、強い殺菌効果が得られ、汚れ付着が十分に防止される。
【００２８】
この椀体１０は、小便器１の一部を一体的に構成する汚水枡５及び排水筒６とは別体であり、製造が容易である。また、椀体１０を取り外してＬＥＤ１６や２次コイル２２のメンテナンスを容易に行うことができる。
【００２９】
この実施の形態では、コイル２１，２２の誘導電力によりＬＥＤ１６を点灯させるようにしており、椀体１０を汚水枡５など小便器１の本体側と結線することが不要である。このため、美観が良好になると共に、結線の断線などの故障も防止される。また、椀体１０が小便器１の本体側と完全にフリーになり、椀体１０のメンテナンスが容易となる。
【００３０】
上記実施の形態では紫外線光源としてＬＥＤを用いているが、これに限定されるものではない。
【００３１】
上記実施の形態は小便器のトラップ部に関するものであるが、浴室、シャワールームなどの水回りスペースの床に設けられる各種のベル型トラップについても本発明を適用することができる。
【図面の簡単な説明】
【００３２】
【図１】実施の形態に係るベル型トラップをそなえた小便器の下部の縦断面図である。
【符号の説明】
【００３３】
１  小便器
４  トラップ部
５  汚水枡
６  排水筒
８  排水管
１０  椀体
１５  ベース
１６  ＬＥＤ
１７  光ファイバ
２１  １次コイル
２２  ２次コイル
【図１】
2006274572.tif 000003